(57)【要約】      （修正有）【課題】簡単で便利な構造により、リチウム電池の膨張時に充電用電源を遮断して危険発生を回避する充電安全装置を提供する。【解決手段】導電体１８の一端を孔を有する充電回路板１４上に溶接し、導電体１８のもう一端を充電回路板１４上に位置させ、保護装置２２の一端はリチウム電池２０に位置し、もう一端は、孔を通ると共に、導電体に抵接し、リチウム電池膨張時、保護装置がリチウム電池の膨張で導電体を押圧して充電回路板１４を開回路にして充電を停止させる。【選択図】図３
0003144100.tif 000002
【実用新案登録請求の範囲】
【請求項１】
リチウム電池が膨張時に、継続して充電するのを阻止する充電安全装置であって、
電源を供給し、孔を有する充電回路板と、
前記孔の両側を跨ぎ、一端が前記充電回路板上に枢接、或いは、溶接され、もう一端が、前記充電回路板上に位置する導電体と、
一端が、前記リチウム電池に位置し、もう一端が、前記孔を通ると共に、前記導電体に抵接する保護装置と、からなり、
リチウム電池の充電時において、前記導電体両端と前記充電回路板が接触して、前記充電回路板が導通状態になると、前記充電回路板がリチウム電池に対して充電し、
リチウム電池膨張時において、前記保護装置は、前記リチウム電池の膨張により、前記導電体を押圧し、前記充電回路板を開回路にして、前記リチウム電池の充電と放電を停止させることを特徴とする、
充電安全装置。
【請求項２】
前記導電体は、金属片、弾性導電片、或いは、導電ばねであることを特徴とする、請求項１に記載の充電安全装置。
【請求項３】
前記保護装置は絶縁体であることを特徴とする、請求項１に記載の充電安全装置。
【請求項４】
前記充電回路板は、前記電源と電気的に接続することを特徴とする請求項１に記載の充電安全装置。
【請求項５】
前記充電安全装置は、充電器、携帯電話、コンピュータ、或いは、マルチメディアプレーヤーのいずれかひとつであることを特徴とする、請求項１に記載の充電安全装置。
【考案の詳細な説明】
【技術分野】
【０００１】
本考案は充電安全装置に関するものであって、特に、リチウム電池膨張時に充電が継続されるのを阻止することができる充電安全装置に関する。
【背景技術】
【０００２】
リチウム電池は、２０世紀末に大量に使用が始まり、近年の電池の発展は、リチウム電池が主流である。
リチウム電池は、軽く、導電性に優れ、価格も安く、環境に優しい、という長所があるが、リチウム電池使用の欠点として電池の膨張がある。
【０００３】
リチウム電池膨張の原因は、主に、過度の充電、放電、電池が圧迫を受けて絶縁層が失効する、環境温度が高すぎる、或いは、リチウム電池製造工程中での欠陥である。
【０００４】
リチウム電池を使用する使用者の不当な使用、例えば、過度の充電なども、リチウム電池を膨張させる主因である。
リチウム電池の特性は、最高電圧が４．３ボルトで、リチウム電池が４．３ボルトを超過すると、過熱により膨張する。
一般に、多くの充電器には、保護回路が内蔵されて、リチウム電池の過度の充電を防止しているが、保護海路が突然失効したり、或いは、リチウム電池自身に欠陥があり、充電が４．３ボルト以下でも膨張を始めることがあり、非常に危険である。
【考案の開示】
【考案が解決しようとする課題】
【０００５】
本考案の目的は、リチウム電池の膨張時、保護装置を起動させて、充電回路板が提供する電源を遮断し、損壊した電池が継続して電源供給するのを防止し、危険の発生を減少させることができる充電安全装置を提供することにある。
【０００６】
本考案のもう一つの目的は、リチウム電池の充電保護回路が失効した時に、別の安全保障を提供できる充電安全装置を提供することである。
【課題を解決するための手段】
【０００７】
本考案の充電安全装置は、リチウム電池が膨張時に、継続して充電するのを阻止する。充電安全装置は、充電回路板からなり、充電回路板上に孔を有する。導電体は、孔の両側を跨ぎ、導電体の一端は、充電回路板上に枢接、或いは、溶接され、もう一端は、充電回路板上に位置する。保護装置の一端はリチウム電池に位置し、もう一端は、孔を通ると共に、導電体に抵接する。リチウム電池充電時、導電体両端と充電回路板が電気的に接続し、充電回路板が導通状態になるので、充電回路板がリチウム電池に対し充電する。リチウム電池膨張時、保護装置は、リチウム電池の膨張で、導電体を押圧し、充電回路板を開回路にして、充電を停止させる。
【考案の効果】
【０００８】
本考案は、リチウム電池が空気膨張時、保護装置を起動して、充電回路板が提供する電源を遮断して、危険の発生を減少することがてきる。
また、リチウム電池の充電保護回路が失効した時には、使用者に別の安全保障を提供することができる。
【考案を実施するための最良の形態】
【０００９】
図１と図２を参照すると、本考案は、簡単で便利な構造により、リチウム電池膨張時に、継続して充電するのを阻止し、膨張継続して、不良結果を招くのを防止できるリチウム電池を含む電子製品の内部の充電安全装置を提供する。
本考案の充電安全装置は、例えば充電器、携帯電話、コンピュータ、或いは、各種マルチメディア装置中に内蔵される。充電安全装置は、主に、リチウム電池２０膨張時に、継続して充電するのを阻止する。
【００１０】
本例においては、充電安全装置を携帯式マルチメディアプレーヤー１２に内蔵した場合について説明する。
携帯式マルチメディアプレーヤー１２内に、充電回路板１４を有する。
充電回路板１４は、電源サプライ１６と電気的に接続され、電源サプライ１６により、電源を充電回路板１４に供給する。
充電回路板１４上に孔を有する。
孔の両側を跨いだ導電体１８の一端は、充電回路板１４上に枢接、或いは、溶接され、もう一端は、充電回路板１４上に位置する。
導電体１８は、充電回路板１４を導通させるのに用いられる。
本実施例中、導電体１８は、金属片、弾性導電片、或いは、導電ばねである。
携帯式マルチメディアプレーヤー１２中、リチウム電池２０保管領域を有し、リチウム電池２０（リチウムポリマー電池）を配置する。
【００１１】
保護装置２２は、一端がリチウム電池２０上に位置し、もう一端が孔を穿過し、導電体１８に抵接する。
本実施例中、保護装置２２は、絶縁体（プラスチック棒）である。
【００１２】
リチウム電池２０が膨張しておらず、且つ、使用者がリチウム電池２０に対して充電している時、導電体１８両端は、充電回路板１４と接触し、充電回路板１４を導通状態にする。よって、充電回路板１４はリチウム電池２０に対し充電する。
【００１３】
図３を合わせて参照すると、リチウム電池２０が膨張すると、保護装置２２は電池の変形により、導電体１８を押圧し、充電回路板１４を開回路にする。その結果、リチウム電池２０に対して充電できず、リチウム電池も電圧、電流の出力が不能となる。
【００１４】
リチウム電池２０の膨張時、保護装置２２を起動して、充電回路板１４が提供する電源を阻止して、損壊した電池が継続して電源を供給するのを防止するので、危険の発生を減少できる。
また、リチウム電池２０の充電保護回路２４が失効した時にも、使用者にもう一つの安全保障を提供することができる。
【００１５】
本考案では好ましい実施例を前述の通り開示したが、これらは決して本考案に限定するものではなく、当該技術を熟知する者なら誰でも、本考案の精神と領域を脱しない範囲内で各種の変更や置換を加えることができる。
【図面の簡単な説明】
【００１６】
【図１】本考案の実施例による立体構造図である。
【図２】本考案の実施例による側面構造図である。
【図３】本考案のもう一つの実施例による側面構造図である。
【符号の説明】
【００１７】
１２  携帯式マルチメディアプレーヤー
１４  充電回路板
１６  電源サプライ
１８  導電体
２０  リチウム電池
２２  保護装置
【図１】
0003144100.tif 000003
【図２】
0003144100.tif 000004
【図３】
0003144100.tif 000005